(57)【要約】【課題】Ａ／Ｄ変換器又はＤ／Ａ変換器を有するアナログベースバンド部において回路規模や消費電力・処理量増大を抑え、かつ時変的なＤＣオフセット除去が可能なＤＣオフセット除去装置及びＤＣオフセット除去方法を提供すること。【解決手段】まず一定期間の受信信号に対し、区間毎に振幅二乗計算を行い、基準振幅との差から求めた振幅変動差に基づき、ＤＣオフセットの変動時刻を推定する。このＤＣオフセット変動時刻に基づいて、一定期間内のＤＣオフセット時刻前後のＤＣオフセット成分を推定し、それぞれの区間に対し、補償処理を行う。例えば、ある一定の期間（１バースト）にて発生するＤＣオフセット変動の最も大きい区間を振幅二乗和の変動を利用してＤＣオフセット変動時刻推定部１０４により推定することで、ＤＣオフセット値を変動に応じて算出する。【選択図】図１
2007129466.tif 000002
【特許請求の範囲】
【請求項１】
受信信号に対し、指定した区間で振幅二乗を計算する信号振幅二乗計算手段と、
前記信号振幅二乗計算の結果と前記受信信号の基準振幅値から振幅変動差を計算する信号振幅変動差計算手段と、
前記振幅変動差計算の結果に対し、一定期間で区間平均又は移動平均により信号振幅差平均を計算する信号振幅差平均計算手段と、
前記信号振幅差平均計算の結果に基づいてＤＣオフセット変化時刻を推定し、ＤＣオフセット変化時刻推定値としてメモリに格納するＤＣオフセット変化時刻推定手段と、
前記メモリに格納したＤＣオフセット変化時刻推定値に基づき、前記受信信号のＤＣオフセット補償を行うＤＣオフセット補償手段と
を備えることを特徴とするＤＣオフセット除去装置。
【請求項２】
前記メモリは、前記受信信号、前記ＤＣオフセット変化時刻推定値、前記受信信号基準振幅値、又は前記ＤＣオフセット補償手段により求めたＤＣオフセット補償後受信信号を格納することを特徴とする請求項１記載のＤＣオフセット除去装置。
【請求項３】
前記ＤＣオフセット変化時刻推定手段は、前記信号振幅差平均計算手段の結果に対し隣接した区間の計算結果をそれぞれ格納するレジスタと、
前記レジスタに格納した隣接した期間の信号振幅差平均の差を求める差動演算回路と、
前記差動演算回路により計算した差のうち一定期間内の最大値を求める最大値回路と、
前記最大値回路において、前記差動演算回路の計算結果が最大となる区間を測定するためのカウンタと
を備えることを特徴とする請求項１記載のＤＣオフセット除去装置。
【請求項４】
前記ＤＣオフセット補償手段は、ＤＣオフセット変化時刻推定結果に基づき、一定期間内の受信信号に対し、ＤＣオフセット変化時刻以前の区間のＤＣオフセット及びＤＣオフセット変化時刻以降の区間のＤＣオフセットをそれぞれ算出するＤＣオフセット値推定手段と、
算出した前記ＤＣオフセット以前の区間のＤＣオフセット及び前記ＤＣオフセット以降の区間のＤＣオフセットを受信信号に対して減算して受信信号のＤＣオフセット補償を行う補償手段と
を備えることを特徴とする請求項１記載のＤＣオフセット除去装置。
【請求項５】
受信信号に対し、指定した区間で振幅二乗を計算するステップと、
前記信号振幅二乗計算の結果と受信信号の基準振幅値から振幅変動差を計算するステップと、
前記振幅変動差計算の結果に対し、一定期間で区間平均又は移動平均により信号振幅差平均を計算するステップと、
前記信号振幅差平均計算の結果に基づいてＤＣオフセット変化時刻を推定するステップと、
前記ＤＣオフセット変化時刻推定値に基づき、前記受信信号のＤＣオフセット補償を行うステップと
を有することを特徴とするＤＣオフセット除去方法。
【発明の詳細な説明】
【技術分野】
【０００１】
本発明は、無線通信における受信機が有するＤＣオフセット除去装置及びＤＣオフセット除去方法に関し、主としてダイレクトコンバージョン方式の無線部を搭載するデジタル移動体通信の受信機に用いられるＤＣオフセット除去装置及びＤＣオフセット除去方法に関する。
【背景技術】
【０００２】
近年の移動体通信端末の特徴として、端末の急速な小型化が挙げられる。端末の小型化は、主に技術革新に伴う内部部品点数の削減や部品の小型化、または消費電力削減による電池容量・体積の削減によるものである。ところで、部品点数の削減は、処理そのものを削減することではなく、移動体通信における受信信号処理では、従来アナログ信号処理として行われる処理をＤＳＰ（Digital Signal Processor）によるデジタル信号処理に置き換えることでも実現可能である。例えば、ＲＦ−ＩＣは、従来用いられていたスーパーヘテロダイン方式から部品小型が可能なダイレクトコンバージョン方式への移行が進んでいる。
【０００３】
ダイレクトコンバージョン方式は、送受信電波の搬送波周波数のRF信号からベースバンド信号へ直接変換する受信方式である。 既存のスーパーヘテロダイン方式における受信部のＩＦ（中間周波）及びその生成に必要な狭帯域フィルタや中間周波の数だけ必要な発振器を必要としないので、回路の部品点数の大幅な削減による小型化が可能となるのが特徴である。
【０００４】
一方で、ダイレクトコンバージョン方式は、ＤＣオフセットによる性能制約を持っている。このＤＣオフセットは、ミキサからアンテナ側に漏れたローカル信号の一部が、再びローカル信号と自己混合され、周波数０Ｈｚにダウンコンバージョンされるために発生する。また、ローカル信号の一部がアンテナにより外部に放出され、移動体からの反射波が再び受信されてローカル信号と自己混合する場合は、時変的なＤＣオフセットが生じる。
【０００５】
特許文献１には、移動体携帯端末またはその受信機において、ダイレクトコンバージョン方式で課題となるＤＣオフセット除去方法が開示されている。
【０００６】
図１２は、上記特許文献１に記載の無線受信機に組み込まれたＤＣオフセット除去装置の構成を示す図であり、主に、ＡＧＣ出力のＤＣオフセット過渡応答成分による受信性能の劣化を、システムの許容範囲内に抑制可能な無線機を提供することを主たる目的としている。
【０００７】
図１２において、無線受信機は、受信を行うアンテナ１０とＲＦ信号を増幅するＬＮＡ（低雑音増幅器）１１と、増幅されたＲＦ信号をローカル信号を用いて直接ベースバンド信号へ復調する直交復調器１２と、ローパスフィルタ１３と、ベースバンド信号を増幅するＡＧＣ１４と、増幅されたベースバンド信号をフィードバック制御するＤＣオフセットキャンセラ１５と、復調部１６と、少なくともＬＮＡ１１の利得を制御する利得制御部１７と、を備え、利得制御部は、増幅されたベースバンド信号強度を検出する信号強度検出部１８と、この信号強度を元に、ＬＮＡの予め設定された複数の利得から所望の利得を選択する利得選択部１９と、この選択された所望の利得に切替えるタイミングを制御するタイミング制御部２０と、このタイミングに応じて、ＬＮＡ用利得制御信号の生成間隔を変動させる利得制御信号発生部２１とを備えて構成される。
【０００８】
上記ＤＣオフセット除去機能を備えた受信機を用いることで、受信機のＡ／Ｄ変換器の入力でアナログ処理回路で発生するＤＣオフセットを低減できるので、Ａ／Ｄ変換器の入力範囲超えによる信号歪みを防ぐことができる。さらに、ＡＣ結合を用いないので、ＤＣオフセットの時間変化の過渡応答の影響を受けない良好な通信を行うことが可能であることが示されている。
【特許文献１】特開２００３−１９８４０５号公報
【発明の開示】
【発明が解決しようとする課題】
【０００９】
上述したように、ダイレクトコンバージョン受信機において発生するステップ状のＤＣオフセットは、その発生タイミング及びステップ量を正確に抽出できなければ補正することが困難であるが、抽出のためには大規模なＦＩＲフィルタが必要であり、さらに、大規模なＦＩＲフィルタを用いたとしてもステップ発生タイミングの正確な推定が困難であるという課題が存在する。
【００１０】
しかしながら、このような従来のＤＣオフセット除去装置にあっては、デジタル部において検出・保持を行ったＤＣオフセット成分をフィードバックする回路が、Ｄ／Ａ変換器の他に別途必要となるという問題があった。同様の理由で、Ｄ／Ａ変換器の構成に合わせた回路の構築（カスタマイズ）が必要となるという問題があった。
【００１１】
本発明は、上記に鑑みてなされたものであり、Ａ／Ｄ変換器又はＤ／Ａ変換器を有するアナログベースバンド部において回路規模や消費電力・処理量増大を抑え、かつ時変的なＤＣオフセット除去が可能なＤＣオフセット除去装置及びＤＣオフセット除去方法を提供することを目的とする。
【課題を解決するための手段】
【００１２】
本発明のＤＣオフセット除去装置は、受信信号に対し、指定した区間で振幅二乗を計算する信号振幅二乗計算手段と、前記信号振幅二乗計算の結果と前記受信信号の基準振幅値から振幅変動差を計算する信号振幅変動差計算手段と、前記振幅変動差計算の結果に対し、一定期間で区間平均又は移動平均により信号振幅差平均を計算する信号振幅差平均計算手段と、前記信号振幅差平均計算の結果に基づいてＤＣオフセット変化時刻を推定し、ＤＣオフセット変化時刻推定値としてメモリに格納するＤＣオフセット変化時刻推定手段と、前記メモリに格納したＤＣオフセット変化時刻推定値に基づき、前記受信信号のＤＣオフセット補償を行うＤＣオフセット補償手段とを備える構成を採る。
【００１３】
本発明のＤＣオフセット除去方法は、受信信号に対し、指定した区間で振幅二乗を計算するステップと、前記信号振幅二乗計算の結果と受信信号の基準振幅値から振幅変動差を計算するステップと、前記振幅変動差計算の結果に対し、一定期間で区間平均又は移動平均により信号振幅差平均を計算するステップと、前記信号振幅差平均計算の結果に基づいてＤＣオフセット変化時刻を推定するステップと、前記ＤＣオフセット変化時刻推定値に基づき、前記受信信号のＤＣオフセット補償を行うステップとを有する。
【発明の効果】
【００１４】
本発明によれば、Ａ／Ｄ変換器やＤ／Ａ変換器のカスタマイズを伴わず、デジタル回路のみを用いて受信信号の時変的なＤＣオフセットを補償処理を実現することができる。また、利用する処理は、本来の受信信号処理に必要な処理を利用することが可能であるため、回路規模の増大を抑えることができる。したがって、既存の処理を利用することで、消費電力・処理量増大を抑え、かつ時間的な変動のあるＤＣオフセット成分に対し、ＤＣオフセット変動時刻の推定及び補償を行うことができる。
【発明を実施するための最良の形態】
【００１５】
以下、本発明の実施の形態について図面を参照して詳細に説明する。
【００１６】
図１は、本発明の一実施の形態に係るＤＣオフセット除去装置の構成を示すブロック図である。本実施の形態に係るＤＣオフセット除去装置は、主に移動体携帯端末に組み込まれるＤＣオフセット除去装置に適用した例である。
【００１７】
図１において、ＤＣオフセット除去装置１００は、振幅二乗計算部１０１、信号振幅変動差計算部１０２、信号振幅差平均計算部１０３、ＤＣオフセット変化時刻推定部１０４、ＤＣオフセット値推定部１０５、減算回路１０６、及びメモリ１０７とを備えて構成される。また、２０１は受信信号、２０２は受信信号基準振幅値、２０３は振幅変動計算値、２０４は信号振幅差平均計算値である。さらに、２０５は差動演算結果、２０６はＤＣオフセット変動推定時刻Ｔ、２０７は平均回路制御信号、２０８はＤＣオフセット値、２０９はオフセット補償後受信信号である。
【００１８】
信号振幅二乗計算部１０１は、受信信号２０１に対し、指定した区間で振幅二乗計算を行う。
【００１９】
信号振幅変動差計算部１０２は、信号振幅二乗計算の結果と受信信号２０１の基準振幅である受信信号基準振幅値２０２とから振幅変動差計算を行い、振幅変動計算値２０３を出力する。
【００２０】
信号振幅差平均計算部１０３は、振幅変動差計算の結果に対し、一定期間で区間平均又は移動平均により信号振幅差平均計算を行い、信号振幅差平均計算値２０４を出力する。
【００２１】
ＤＣオフセット変化時刻推定部１０４は、信号振幅差平均計算の結果に基づき、ＤＣオフセット変化時刻を推定し、推定したＤＣオフセット変動推定時刻ＴをＤＣオフセット変化時刻推定値２０６としてメモリ１０７に格納する。
【００２２】
ＤＣオフセット値推定部１０５は、ＤＣオフセット変化時刻推定部１０４で求めたＤＣオフセット変化時刻推定値２０６に基づいて受信信号のＤＣオフセット値２０８を推定する。
【００２３】
減算回路１０６は、ＤＣオフセット値推定部１０５で推定されたＤＣオフセット値２０８を受信信号２０１に対して減算して受信信号のＤＣオフセット補償を行い、オフセット補償後受信信号２０９をメモリ１０７に格納する。
【００２４】
ここで、上記ＤＣオフセット値推定部１０５及び減算回路１０６は、メモリ１０７に格納したＤＣオフセット変化時刻推定値２０６（ＤＣオフセット変動推定時刻Ｔ）に基づき、受信信号２０１のＤＣオフセット補償を行うＤＣオフセット補償部１０８を構成する。
【００２５】
メモリ１０７は、受信信号２０１、受信信号基準振幅値２０２、ＤＣオフセット変化時刻推定値２０６、及び受信信号２０１に対しＤＣオフセットを補償した結果であるＤＣオフセット補償後受信信号２０９をそれぞれ格納する。
【００２６】
ＤＣオフセット変化時刻推定部１０４は、振幅変動差計算部１１１、最大値回路１１２、及びカウンタ１１３を備えて構成される。
【００２７】
振幅変動差計算部１１１は、信号振幅差平均計算部１０３の結果に対し隣接した区間の計算結果をそれぞれ格納するレジスタ１１１ａと、レジスタ１１１ａに格納した隣接した期間の信号振幅差平均の差を求める差動演算回路１１１ｂとから構成される。
【００２８】
最大値回路１１２は、差動演算回路１１１ｂにより計算した差のうち一定期間内の最大値を求める。カウンタ１１３は、最大値回路１１２において、差動演算回路１１１ｂの計算結果が最大となる区間を測定するためのカウンタである。
【００２９】
ＤＣオフセット値推定部１０５は、比較回路１２１、カウンタ１２２、及び平均化回路１２３からなり、ＤＣオフセット変化時刻推定結果に基づき、一定期間内の受信信号に対し、ＤＣオフセット変化時刻以前の区間のＤＣオフセット及びＤＣオフセット変化時刻以降の区間のＤＣオフセットをそれぞれ算出する。
【００３０】
以下、上述のように構成されたＤＣオフセット除去装置１００の動作を説明する。
【００３１】
図２は、良好な受信状態における受信信号の振幅二乗和について説明する図、図３は、受信信号がＧＭＳＫ変調方式で変調されている場合のコンスタレーション・チャートを説明する図である。
【００３２】
受信信号２０１は、図示しない移動体携帯端末のアンテナで受信され、ＲＦ増幅器にて増幅され、Ａ／Ｄコンバータにてデジタル変換された受信信号の時系列数値情報である。つまり、受信信号２０１は等化器による復調前の信号であり、Ｉ信号（InPhase：同相信号）及びＱ信号（Quadrature：直交信号）から定義される。
【００３３】
まず、１バースト等の一定期間単位でメモリ１０７に格納された受信信号２０１を、メモリ１０７から読み出し、振幅二乗計算部１０１においてＩ信号及びＱ信号のレベルの二乗和を求める。受信環境が良好かつ受信信号の自動利得制御が十分に働いている場合は、Ｉ信号及びＱ信号の二乗和は図２に示すように時間に対して一定レベルとなる。一例として、受信信号の変調方式がＧＭＳＫ変調である場合、受信状態が良好である場合は、Ｉ信号及びＱ信号のコンスタレーション・チャートにおけるシンボル分布は図３に示すようになる。
【００３４】
時変的なＤＣオフセットがＩ信号及びＱ信号にそれぞれ付加された場合、Ｉ信号・Ｑ信号のレベルは図４に示すようになる。
【００３５】
図４は、時変的なＤＣオフセットを説明する図、図５は、時変的なＤＣオフセットを含むコンスターレーション・チャートを説明する図である。
【００３６】
図４において、Ｔは横軸を時間ｔとした場合のＤＣオフセットの変化時刻、ΔＩはＩ信号のＤＣオフセット変化レベル、ΔＱはＱ信号のＤＣオフセット変化レベルである。Ｑ信号を見た場合、時変的なＤＣオフセットが時刻Ｔで与えられた場合のコンスタレーション・チャートにおけるシンボル分布は図５に示すようになる。
【００３７】
図４及び図５で示すような時変的なＤＣオフセットが１バースト内のような一定期間内で与えられる場合として、前述のＩ信号及びＱ信号による二乗和は時刻Ｔを境にして変化した場合を図６を例にして説明する。
【００３８】
図６は、時変的なＤＣオフセットがある場合のＩ信号・Ｑ信号からなるシンボルの原点からの距離について説明する図である。また、図７は、振幅二乗和の変動について説明する図、図８は、振幅二乗和の基準値について説明する図である。
【００３９】
図６（ａ）に示すように、ＤＣオフセットが与えられていないシンボルにおいては、Ｉ信号及びＱ信号からなるシンボル点は原点から等しい距離を持つ円周上に存在する。したがって、Ｉ信号・Ｑ信号による二乗和は一定となる。一方、図６（ｂ）にはある時刻ＴでＤＣオフセットの時間変化があった場合を示しているが、この場合、Ｉ信号・Ｑ信号から成るシンボル点は原点から等しい距離の円周上には存在しないため、Ｉ信号・Ｑ信号による二乗和は図７に示すように時間的に変動を持つ。図７のチャートで、縦軸の原点からの距離の二乗とはＩ信号・Ｑ信号による二乗和のこととする。
【００４０】
つまり、本実施の形態では、前述したとおり時変的なＤＣオフセットの変化量の大きい時刻をＩ信号・Ｑ信号からなる振幅二乗和の変動を利用して特定し、ＤＣオフセット補償に利用する。ここで、図８の太破線矢印で示すシンボルを良好な受信条件における振幅レベルの二乗和を受信信号基準振幅値と定義する。以下、（１）−（３）で受信信号のＩ信号・Ｑ信号の振幅二乗和及び受信信号基準振幅値を用いたＤＣオフセット変動時刻の推定方法について述べる。
【００４１】
（１）まず、シンボル毎の前記振幅二乗和の変動を算出する。ここでは、前述したＩ信号・Ｑ信号の振幅二乗和に対し、シンボル毎に前記受信信号基準振幅値との差を前記振幅二乗和の変動分とする。
【００４２】
図９は、振幅二乗和と受信信号基準振幅値の差について説明する図である。
【００４３】
図９に示すように、原点からの距離が等しいシンボルで構成される期間においては、受信条件が良好である場合は振幅二乗和と受信信号振幅値の差は０に近い最小値となるが、ある時刻Ｔ以降でＤＣオフセットが与えられた場合は、振幅二乗和と受信信号振幅値の差はシンボル毎に変動する。図９のチャートの縦軸は、振幅二乗和と受信信号基準振幅値の差の絶対値を示す。このとき、受信信号基準振幅値は、図１のメモリ１０７に予め格納した値を読み出したものであり、振幅二乗和は振幅二乗演算部１０１の結果である。信号振幅変動差計算部１０２では、信号振幅二乗計算の結果と受信信号基準振幅値２０１とから振幅変動差計算を行い、振幅変動計算値２０３を出力する。
【００４４】
（２）信号振幅変動差計算部１０２において求めた振幅二乗和と受信信号基準振幅値２０２の差に対し、受信信号２０１に含まれる雑音及び符号間干渉の影響を低減させるため、また、振幅変動のある変調方式を用いるシステムの場合において、振幅変動の影響を低減させるためにある一定の区間で区間平均あるいは移動平均を取る。この区間平均あるいは移動平均は、振幅二乗和と受信信号基準振幅値２０２の差を取った振幅変動計算値２０３を用いて、信号振幅差平均計算部１０３により行われる。図１０は、振幅二乗和と受信信号基準振幅値の差の平均演算について説明する図である。図１０は前記振幅変動計算値２０３の区間平均を例としたチャートを示しており、図９と同様に、ＤＣオフセットが存在しない期間では区間平均は０となり、ある時刻Ｔ以降でＤＣオフセットが与えられた場合は、区間毎の平均結果は変動を持つ。
【００４５】
（３）上記により求めた区間毎の振幅二乗の平均結果は、信号振幅差平均計算値２０４として、ＤＣオフセット変化時刻推定部１０４に入力される。ＤＣオフセット変化時刻推定部１０４は、区間毎に求めた信号振幅差平均計算値２０４に対し、前後の区間で差動演算を行う差動演算回路１１１ｂと、差動演算回路１１１ｂの結果である差動演算結果２０５に対し、一定期間内の最大値を求める最大値回路１１２と、一定期間をカウントするためのカウンタ１１３とを備える。ここでは、振幅二乗の変動の大きい区間をＤＣオフセット変動のある区間をして推定することを目的として、まず、区間毎に求めた信号振幅差平均計算値２０４に対し前後の区間で差動演算を行い、各区間の間の振幅二乗の変動差を求める。例えば、図１に示すように、前区間の前記信号振幅差平均計算値を保持するためのレジスタ１１１ａを設け、次の区間とレジスタ１１１ａで保持した前区間の信号振幅差平均計算値の差を差動演算回路１１１ｂにより求める。差動演算の例を図１１に示す。
【００４６】
図１１は、ＤＣオフセット変動時刻推定のための差動演算について説明する図である。
【００４７】
図１０のように、ある時刻Ｔ以降で振幅二乗和の平均値に変動が見られる場合、前後の区間で差動演算を行うと、差動演算結果として時刻Ｔ付近の区間が最も大きい値を示す（図１１参照）。この値を最大値回路１１２によって抽出する。抽出した値は、カウンタ１１３によって最大となる区間を特定し、この区間からＤＣオフセット変動の最も大きい時刻Ｔを求める。求めたＤＣオフセット変動推定時刻Ｔ２０６は、ＤＣオフセット補償のために、一時的にメモリ１０７に格納する。
【００４８】
次に、求めたＤＣオフセット変動推定時刻Ｔ２０６に基づき、受信信号２０１からＤＣオフセット成分を補償する方法について以下の（４）−（５）で説明する。
【００４９】
（４）一時的にメモリ１０７に格納したＤＣオフセット変動推定時刻Ｔ２０６をＤＣオフセット値推定部１０５に入力する。ＤＣオフセット値推定部１０５は、前述の通り、一定期間内の受信信号に対し、ＤＣオフセット変化時刻以前の区間のＤＣオフセット及びＤＣオフセット変化時刻以降の区間のＤＣオフセットをそれぞれ算出する比較回路１２１とカウンタ１２２と平均化回路１２３と、算出したＤＣオフセット値２０８を受信信号２０１に対して補償する減算回路１０６とを備えている。図１に示す構成では、ある一定の期間（１バースト）を２つの期間（ａ）ｔ＞Ｔ：ここではＤＣオフセットが与えられない（ＤＣオフセットレベルが低い）期間、及び（ｂ）ｔ≧Ｔ：ここではＤＣオフセットが比較的大きく付加される期間、に分け、それぞれの期間に対しＤＣオフセット成分を推定できる。つまり、期間（ａ）ｔ＞Ｔの場合は、ｔ＞Ｔのシンボル成分のＩ信号・Ｑ信号の平均値を取るように平均回路制御信号２０７を用いて平均化回路１２３を制御し、（ｂ）ｔ≧Ｔの場合は、ｔ≧Ｔのシンボル成分のＩ信号・Ｑ信号の平均値を取るように平均回路制御信号２０７を用いて平均化回路１２３を制御する構成を持つ。ここで、カウンタ１２２及び比較回路１２１は、ＤＣオフセット変動推定時刻Ｔ２０６に基づいて平均回路制御信号２０７を保持するために用いる。したがって、求めたＤＣオフセット値２０８は、（ａ）ｔ＞Ｔ及び（ｂ）ｔ≧Ｔの期間のそれぞれの平均値であるが、（ａ）ｔ＞Ｔ及び（ｂ）ｔ≧Ｔのそれぞれの期間のシンボルを補償するために、それぞれの期間分ホールドしている。例えば、ある期間（１バースト）のシンボル毎のＤＣオフセット成分ＤＣoff(k)は、（ａ）ｔ＞Ｔの時ＤＣoff(k)≒(ｔ＞ＴのＩ信号・Ｑ信号の平均値)となり、（ｂ）ｔ≧Ｔの時ＤＣoff(k)≒(ｔ≧ＴのＩ信号・Ｑ信号の平均値)となる。
【００５０】
（５）ＤＣオフセット値推定部１０５で求めたＤＣオフセット値２０８について、減算回路１０６ではシンボル毎に受信信号２０１との差を取り、求めた成分をＤＣオフセット補償後の受信信号２０９として、再びメモリ１０７に格納する。
【００５１】
以上詳細に説明したように、本実施の形態によれば、まず一定期間の受信信号に対し、区間毎に振幅二乗計算を行い、基準振幅との差から求めた振幅変動差に基づき、ＤＣオフセットの変動時刻を推定する。このＤＣオフセット変動時刻に基づいて、一定期間内のＤＣオフセット時刻前後のＤＣオフセット成分を推定し、それぞれの区間に対し、補償処理を行う。例えば、ある一定の期間（１バースト）にて発生するＤＣオフセット変動の最も大きい区間を振幅二乗和の変動を利用してＤＣオフセット変動時刻推定部１０４により推定することで、ＤＣオフセット値を変動に応じて算出することができるので、従来のＡ／Ｄ変換器やＤ／Ａ変換器のカスタマイズを伴わず、デジタル回路のみを用いて受信信号に対し事変的なＤＣオフセット補償処理を実現することができる。
【００５２】
以上の説明は本発明の好適な実施の形態の例証であり、本発明の範囲はこれに限定されることはない。
【００５３】
また、本実施の形態ではＤＣオフセット除去装置及びＤＣオフセット除去方法という名称を用いたが、これは説明の便宜上であり、ＤＣオフセット補正回路及びＤＣオフセット補正方法、さらには無線受信機等であってもよいことは勿論である。
【００５４】
さらに、上記ＤＣオフセット除去装置を構成する各回路部、例えば最大値回路、平均化回路の数及び接続方法など、さらには振幅変動差計算部の構成などは前述した実施の形態に限られない。
【産業上の利用可能性】
【００５５】
本発明に係るＤＣオフセット除去装置及びＤＣオフセット除去方法は、移動体携帯端末において、従来のＡ／Ｄ変換器やＤ／Ａ変換器のカスタマイズを伴わず、デジタル回路のみを用いて受信信号に対し事変的なＤＣオフセットを補償処理を提供することができる。さらに、利用する処理は、本来の受信信号処理に必要な処理を利用することが可能であるため、回路規模増大を比較的抑えることが可能である。したがって、ＤＣオフセット全般の補正処理に有用である。例えば、ダイレクトコンバージョン方式の無線部を搭載するデジタル移動体通信の受信機に用いて有用である。
【図面の簡単な説明】
【００５６】
【図１】本発明の実施の形態に係るＤＣオフセット除去装置の構成を示すブロック図
【図２】本実施の形態に係るＤＣオフセット除去装置の良好な受信状態における受信信号の振幅二乗和について説明する図
【図３】本実施の形態に係るＤＣオフセット除去装置の受信信号がＧＭＳＫ変調方式で変調されている場合のコンスタレーション・チャートを説明する図
【図４】本実施の形態に係るＤＣオフセット除去装置の時変的なＤＣオフセットを説明する図
【図５】本実施の形態に係るＤＣオフセット除去装置の時変的なＤＣオフセットを含むコンスターレーション・チャートを説明する図
【図６】本実施の形態に係るＤＣオフセット除去装置の時変的なＤＣオフセットがある場合のＩ信号・Ｑ信号からなるシンボルの原点からの距離について説明する図
【図７】本実施の形態に係るＤＣオフセット除去装置の振幅二乗和の変動について説明する図
【図８】本実施の形態に係るＤＣオフセット除去装置の振幅二乗和の基準値について説明する図
【図９】本実施の形態に係るＤＣオフセット除去装置の振幅二乗和と受信信号基準振幅値の差について説明する図
【図１０】本実施の形態に係るＤＣオフセット除去装置の振幅二乗和と受信信号基準振幅値の差の平均演算について説明する図
【図１１】本実施の形態に係るＤＣオフセット除去装置のＤＣオフセット変動時刻推定のための差動演算について説明する図
【図１２】従来の無線受信機に組み込まれたＤＣオフセット除去装置の構成を示す図
【符号の説明】
【００５７】
１００  ＤＣオフセット除去装置
１０１  振幅二乗計算部
１０２  信号振幅変動差計算部
１０３  信号振幅差平均計算部
１０４  ＤＣオフセット変化時刻推定部
１０５  ＤＣオフセット値推定部
１０６  減算回路
１０７  メモリ
１０８  ＤＣオフセット補償部
１１１  振幅変動差計算部
１１１ａ  レジスタ
１１１ｂ  差動演算回路
１１２  最大値回路
１１３  カウンタ
１２１  比較回路
１２２  カウンタ
１２３  平均化回路
【図１】
2007129466.tif 000003
【図２】
2007129466.tif 000004
【図３】
2007129466.tif 000005
【図４】
2007129466.tif 000006
【図５】
2007129466.tif 000007
【図６】
2007129466.tif 000008
【図７】
2007129466.tif 000009
【図８】
2007129466.tif 000010
【図９】
2007129466.tif 000011
【図１０】
2007129466.tif 000012
【図１１】
2007129466.tif 000013
【図１２】
2007129466.tif 000014